(57)【要約】【課題】押圧する場所により操作性に差異が生ずることを抑制し、操作性に優れた高品質な押しボタンスイッチ機構および電池パックを提供する。【解決手段】レンズ部材１５において、可動部１５ｇには、Ｚ軸方向上向きに突設した突起部１５ｆを有する。２つのアーム部１５ｉは、可動部１５ｇの対向２辺のそれぞれから延設されている。ビーム部１５ｊは、Ｙ軸方向に延伸し、可動部１５ｇの裏面への押圧力によりＺ軸方向に撓む。ベース部１５ｌは、ビーム部１５ｊの各々を両端支持する。押しボタンスイッチ機構では、レンズ部材１５の伝達部材部分において、可動部１５ｇの側周が、２つのアーム部１５ｉが連続する部分を除き、ビーム部１５ｊおよびベース部１５ｌとの各間がスリット１５ｈにより区画されており、ビーム部１５ｊが、その両端部分を除き、ベース部１５ｌとの間がスリット１５ｋにより区画されている。【選択図】図６
2012234780.tif 000002
【特許請求の範囲】
【請求項１】
ボタンへの押圧の有無によりオン・オフ状態の切り替えを行う押しボタンスイッチと、
ユーザからの押圧力を前記ボタンに伝達する伝達部材と
を備え、
前記伝達部材は、
平板状をし、一方の主面に前記ユーザからの押圧力を受け、他方の主面からその法線方向に突設した突起を有する可動部と、
前記可動部の対向する２辺のそれぞれから延設されたアーム部と、
前記２つのアーム部のそれぞれに連続し、前記２辺の各々に沿って延伸し、且つ、前記ユーザからの押圧力により前記ボタンの押圧方向に撓む撓み部と、
前記撓み部の各々に対し、その両端部分で連続し、当該撓み部を両端支持するベース部と、
を有し構成されており、
前記可動部の側周は、前記２つのアーム部を除き、前記撓み部および前記ベース部との各間がスリットにより区画されており、
前記撓み部は、前記両端部分を除き、前記ベース部との間がスリットにより区画されている
ことを特徴とする押しボタンスイッチ機構。
【請求項２】
前記アーム部は、前記可動部の対向する２辺のそれぞれにおける中央部分から延設されている
ことを特徴とする請求項１に記載の押しボタンスイッチ機構。
【請求項３】
前記伝達部材における前記可動部は、前記撓み部が延伸する方向に沿った方向での長さが、これに直交する方向での幅よりも長い短冊状をしており、
前記突起は、前記撓み部が延伸する方向に沿った方向において、前記可動部の中央部分から突出している
ことを特徴とする請求項１または請求項２に記載の押しボタンスイッチ機構。
【請求項４】
さらに、前記伝達部材における前記可動部の一方の主面に対し当接あるいは接合され、前記ユーザの押圧を受け付ける操作面を有する操作部材を備え、
前記操作部材は、前記撓み部が延伸する方向に沿った方向において、前記可動部と実質的に同じ長さを有する
ことを特徴とする請求項３に記載の押しボタンスイッチ機構。
【請求項５】
前記伝達部材は、前記可動部および前記アーム部および前記撓み部および前記ベース部を含み一体形成されている
ことを特徴とする請求項１から請求項４の何れかに記載の押しボタンスイッチ機構。
【請求項６】
請求項１から請求項５の何れかの押しボタンスイッチ機構を備える
ことを特徴とする電池パック。
【請求項７】
１または複数の素電池と、
前記１または複数の素電池の残容量に関するインジケータと、
を備え、
前記押しボタンスイッチ機構は、前記インジケータのオン・オフ制御に供される
ことを特徴とする請求項６に記載の電池パック。
【請求項８】
前記インジケータは、１または複数のＬＥＤを有し構成されており、
前記伝達部材は、透光性材料からなり、前記ＬＥＤから出射される光が透過するレンズ部材の一部として構成されている
ことを特徴とする請求項７に記載の電池パック。
【発明の詳細な説明】
【技術分野】
【０００１】
本発明は、押しボタンスイッチ機構および電池パックに関する。
【背景技術】
【０００２】
電子機器の外面には、ユーザが当該電子機器に対して操作を行うための操作ボタンが設けられている（例えば、特許文献１，２を参照）。例えば、モバイル機器の電源として用いられる電池パックでは、電池容量の残量確認を行う際に用いられる押しボタンが設けられている。ユーザは、外面に設けられたパッド部などを押圧することで、パッケージ内部に設けられた押しボタンスイッチのボタンに押圧力が伝達され、インジケータを構成するＬＥＤの点灯により電池容量の残量を知ることができる。
【０００３】
ここで、ユーザが押圧するパッド部と、押しボタンスイッチのボタン部との間には、ユーザからの押圧力を押しボタンスイッチのボタン部に伝達するための、伝達部材が介在されていることがある。この伝達部材は、通常、回路基板などに実装されている押しボタンスイッチを直接ユーザが操作することを防ぎ、回路基板の損傷などを防ぐことなどを目的に介在されている。従来技術に係る伝達部材の構成について、図８および図９を用い説明する。
【０００４】
図８に示すように、従来技術の伝達部材９５では、押しボタンスイッチのボタンに押圧力を伝達する突起部９５ｆが、Ｙ軸方向に細長い短冊状をした可動部９５ｇのほぼ中央部分に設けられている。可動部９５ｇは、Ｙ軸方向右側の辺に連続して設けられたアーム部９５ｉによりベースとなる部分に接続されている。伝達部材９５においては、可動部９５ｇは、アーム部９５ｉが接続された部分を除き、周囲がスリット９５ｈにより区画されている。このため、可動部９５ｇは、一端支持となっており、Ｙ軸方向左側の端辺９５ｌは、自由端となっている。
【０００５】
図９に示すように、従来技術の伝達部材９５を備える機器に対し、ユーザが押圧力を入力した場合には、伝達部材９５では、アーム部９５ｉの基端部分Ｐを支点として可動部９５ｇがＺ軸方向の上方向へと可動する。そして、可動部９５ｇのＺ軸方向上側主面から突設された突起部９５ｆが、その上方に存在する押しボタンスイッチのボタン部を押圧することになる。
【先行技術文献】
【特許文献】
【０００６】
【特許文献１】特開２０１０−４０２６０号公報
【特許文献２】特開２０１０−１０８７０１号公報
【発明の概要】
【発明が解決しようとする課題】
【０００７】
しかしながら、図９に示すように、従来技術に係る伝達部材９５では、アーム部９５ｉの基端部分Ｐを支点として可動部９５ｇが稼働するため、操作性という観点で改良の余地がある。具体的には、図９に示すように、伝達部材９５の可動部９５ｇは、ユーザからの押圧力により、基端部分Ｐを支点として自由端である端辺９５ｌが円弧を描くように可動するため、ユーザがＣ１部分を押圧したときと、Ｃ２部分を押圧したときとで、突起部９５ｆのＺ軸方向へのストロークに差異が生じる。即ち、ユーザが同じ押し込み量で押圧しても、押圧する箇所により、突起部９５ｆの可動量が変化し、操作性に問題を生じてしまうことになる。
【０００８】
本発明は、上記のような問題の解決を図ろうとなされたものであって、押圧する箇所により操作性に差異が生ずることを抑制し、操作性に優れた高品質な押しボタンスイッチ機構および電池パックを提供することを目的とする。
【課題を解決するための手段】
【０００９】
そこで、本発明は、次の構成を採用することとした。
本発明に係る押しボタンスイッチ機構は、ボタンへの押圧の有無によりオン・オフ状態の切り替えを行う押しボタンスイッチと、ユーザからの押圧力をボタンに伝達する伝達部材とを備え、伝達部材が、可動部、アーム部、撓み部、およびベース部を有し構成されていることとした。
【００１０】
（ａ）  可動部は、平板状をし、一方の主面に前記ユーザからの押圧力を受け、他方の主面からその法線方向に突設した突起を有する。
（ｂ）  アーム部は、可動部の対向する２辺のそれぞれから延設されている。
（ｃ）  撓み部は、２つのアーム部のそれぞれに連続し、可動部の対向する上記２辺の各々に沿って延伸し、且つ、ユーザからの押圧力によりボタンの押圧方向に撓む。
【００１１】
（ｄ）  ベース部は、撓み部の各々に対し、その両端部分で連続し、当該撓み部を両端支持する。
そして、本発明に係る押しボタンスイッチ機構では、伝達部材において、可動部の側周が、２つのアーム部を除き、撓み部およびベース部との各間がスリットにより区画されており、撓み部が、両端部分を除き、ベース部との間がスリットにより区画されていることを特徴とする。
【００１２】
また、本発明に係る電池パックは、上記本発明に係る押しボタンスイッチ機構を備えることを特徴とする。
なお、本発明に係る押しボタンスイッチ機構については、その適用対象が電池パックに限定されるものではなく、他の電子機器にも適用が可能である。
【発明の効果】
【００１３】
本発明に係る押しボタンスイッチ機構では、伝達部材の可動部が、その対向する２辺のそれぞれから延設された２つのアーム部により支持されている。そして、２つのアーム部は、それぞれが梁状（ビーム状）の撓み部に接続されており、当該撓み部がユーザからの押圧力に応じて撓む。即ち、本発明に係る押しボタンスイッチ機構では、突起が突設されてなる可動部が、２つの撓み部の撓みにより、突起の突設方向に向けて平行に可動することとなり、円弧状に端辺９５ｌが可動し、可動部９５ｇが回転可動する従来技術の伝達部材９５に対して、優れた操作性を確保できる。
【００１４】
上述のように、図９の従来技術の伝達部材９５では、基端部分Ｐを支点として自由端である端辺９５ｌが円弧を描くように可動部９５ｇが回転可動するため、ユーザが押圧する箇所により操作性が大きく異なる。
これに対して、本発明に係る押しボタンスイッチ機構では、可動部が２つのアーム部を介して２つの撓み部に両端支持され、撓み部が突起の突設方向に可動するので、可動部は平行な姿勢を保った状態で可動する。このため、本発明に係る押しボタンスイッチ機構では、ユーザが異なる箇所を押圧しても、同様のクリック感が実現される。
【００１５】
従って、本発明に係る押しボタンスイッチ機構は、押圧する箇所によりクリック感に差異が生ずることが抑制され、優れた操作性を有し高品質である。
そして、本発明に係る電池パックは、本発明に係る押しボタンスイッチ機構を備えるので、上記同様に、優れた操作性を有し高品質である。
本発明に係る押しボタンスイッチ機構および電池パックでは、一例として、次のようなバリエーション構成を採用することが可能である。
【００１６】
本発明に係る押しボタンスイッチ機構およびこれを備える電池パックは、上記構成において、アーム部が、可動部の対向２辺のそれぞれにおける中央部分から延設されているとすることができる。このように、アーム部を可動部の対向２辺の各中央部分から延設された構成とすれば、アーム部に対して可動部が対象に可動することになり、更に優れた操作性（クリック性）を実現することができる。
【００１７】
本発明に係る押しボタンスイッチ機構およびこれを備える電池パックは、上記構成において、伝達部材における可動部が、撓み部の延伸方向に沿った方向での長さが、これに直交する方向での幅よりも長い短冊状をしており、突起が、撓み部が延伸する方向に沿った方向において、可動部の中央部分から突出しているとすることができる。このような構成を採用すれば、可動部に対する突起の配置についても対称性を確保することができ、更に優れた操作性（クリック性）を実現することができる。
【００１８】
本発明に係る押しボタンスイッチ機構およびこれを備える電池パックは、上記構成において、さらに、伝達部材における可動部の一方の主面に対し当接あるいは接合され、ユーザの押圧を受け付ける操作面を有する操作部材を備え、操作部材が、撓み部の延伸方向に沿った方向において、可動部と実質的に同じ長さを有するとすることができる。このように、操作部材の上記方向における長さを、可動部と実質的に同じとすることにより、ユーザに対するクリック時におけるダイレクト感を実現することができる。
【００１９】
本発明に係る押しボタンスイッチ機構およびこれを備える電池パックは、上記構成において、伝達部材が、可動部、アーム部、撓み部およびベース部を含み一体形成されているとすることができる。このように伝達部材を一体形成することにより、部品点数の増加を抑え、生産性の向上を図ることができる。また、伝達部材を一体形成することにより、各部間に接合部を有する場合に比べて、押圧によるクラックなどのダメージを受け難い。
【００２０】
また、本発明に係る電池パックでは、一例として、次のようなバリエーション構成を採用することが可能である。
本発明に係る電池パックは、上記構成において、１または複数の素電池と、１または複数の素電池の残容量に関するインジケータとを備え、押しボタンスイッチ機構が、インジケータのオン・オフ制御に供されるとすることができる。
【００２１】
本発明に係る電池パックは、上記構成において、インジケータが、１または複数のＬＥＤを有し構成されており、伝達部材が、透光性材料からなり、ＬＥＤから出射される光が透過するレンズ部材の一部として構成されているとすることができる。このように、伝達部材をレンズ部材の一部として構成すれば、別途、伝達部材を備える場合に比べて部品点数の削減を図ることができ、製造に係るコスト面で有効である。
【図面の簡単な説明】
【００２２】
【図１】本発明の実施の形態に係る電池パック１の外観構成を示す模式斜視図であって、（ａ）は一方の外面側から見た図であり、（ｂ）は他方の外面側から見た図である。
【図２】電池パック１の内部構成を示すために、第１ケース部材１１を除去した状態で示す模式斜視図である。
【図３】電池パック１における回路ユニット１０２の周辺部分の構成を示す模式断面図であり、（ａ）はＹ−Ｚ断面、（ｂ）はＸ−Ｚ断面を示す。
【図４】回路ユニット１０２とレンズ部材１５およびパッド部材１４との配置関係を示す模式展開側面図である。
【図５】（ａ）は、電池パック１の製造過程における第２ケース部材１２へのレンズ部材１５およびパッド部材１４の取り付け途中の状態を示す模式展開斜視図であり、（ｂ）は、レンズ部材１５とパッド部材１４との配置関係を示す模式展開斜視図である。
【図６】レンズ部材１５の構成中、押圧力の伝達に係る部分を抜き出して示す模式斜視図である。
【図７】ユーザがパッド部材１４を押圧した際のレンズ部材１５の状態変化を説明するための模式断面図である。
【図８】従来技術に係る電池パックにおける押圧力伝達部材９５の構成の一部を示す模式斜視図である。
【図９】従来技術に係る電池パックにおいて、ユーザがパッド部材を押圧した際の押圧力伝達部材９５の状態変化を説明するための模式断面図である。
【発明を実施するための形態】
【００２３】
以下では、本発明を実施するための形態について、図面を参酌しながら説明する。なお、以下で示す具体例は、本発明の構成およびその構成から奏される作用・効果を分かりやすく説明するために用いる一例であって、本発明は、発明の本質とする構成部分以外について、以下の具体例に何ら限定を受けるものではない。
［実施の形態］
１．電池パック１の外観構成
本実施の形態に係る電池パック１の外観構成について、図１を用い説明する。
【００２４】
図１（ａ）に示すように、電池パック１は、第１ケース部材１１と第２ケース部材１２とにより外装が構成されている。第１ケース部材１１におけるＸ軸方向手前側の側壁には、一部に窓部が開けられており、当該窓部から外部コネクタ１０２２が露出している。
図１（ｂ）に示すように、電池パック１では、機器への装着時に露出する側の第２ケース部材１２の外面には、インジケータ用の窓部１２ａが開けられ、当該インジケータを点灯させようとする場合にユーザが押圧するパッド部材１４の一部が露出している。本実施の形態に係る電池パック１では、ユーザが電池容量の残量を確認しようとする際、パッド部材１４を押圧することによって、残量に応じた数のＬＥＤがパッケージ内部で点灯し、窓部１２ａから確認が可能となっている。
【００２５】
２．電池パック１の内部構成
電池パック１の内部構成について、図２を用い説明する。
図２に示すように、電池パック１には、第１ケース部材１１（図２では、便宜上、図示を省略）および第２ケース部材１２により構成される外装内部に、コアパック１０が収納されている。コアパック１０は、１２本の素電池１０１ａ〜１０１ｌと、回路ユニット１０２とから構成されている。
【００２６】
コアパック１０における素電池１０１ａ〜１０１ｌは、互いに同一の円筒形状の外観を有する。回路ユニット１０２は、平板状の基板本体１０２１を備え構成されており、基板本体は、Ｙ−Ｚ面に沿う状態でＸ軸方向手前で立設されている。そして、外部コネクタ１０２２は、基板本体１０２１のＸ軸方向手前側の主面に実装されている。
３．回路ユニット１０２の周辺部分の構成
電池パック１における回路ユニット１０２の周辺部分の構成について、図３を用い説明する。
【００２７】
図３（ａ）に示すように、回路ユニット１０２の基板本体１０２１におけるＺ軸方向下側の縁部には、５つのＬＥＤ（Ｌｉｇｈｔ  Ｅｍｉｔｔｉｎｇ  Ｄｉｏｄｅ）１０２３ａ〜１０２３ｅと、押しボタンスイッチ１０２４が実装されている。ＬＥＤ１０２３ａ〜１０２３ｅは、各々がＺ軸方向下向きに光出射出来るようになっており、第２ケース部材１２における各窓部１２ａに対応した箇所に配置されている。
【００２８】
押しボタンスイッチ１０２４は、押圧を受け付けるボタンがＺ軸方向下向きに設けられており、ボタンに押圧を受けると、押しボタンスイッチ１０２４がＯＮ状態となり、電池容量の残量に応じた数のＬＥＤ１０２３ａ〜１０２３ｅが点灯する。
図３（ａ）、（ｂ）に示すように、基板本体１０２１と第２ケース部材１２の内底面との間には、レンズ部材１５が介挿されており、ＬＥＤ１０２３ａ〜１０２３ｅから出射された光を散光する。また、レンズ部材１５の一部は、押しボタンスイッチ１０２４のＺ軸方向下方まで延設されている。
【００２９】
４．回路ユニット１０２とレンズ部材１５およびパッド部材１４との配置
電池パック１における回路ユニット１０２とレンズ部材１５およびパッド部材１４との配置について、図４を用い説明する。
図４に示すように、レンズ部材１５における各レンズ部１５ａ〜１５ｅは、回路ユニット１０２における各ＬＥＤ１０２３ａ〜１０２３ｅに対応した箇所に設けられており、ＬＥＤ１０２３ａ〜１０２３ｅから出射された光はレンズ部材１５の各レンズ部１５ａ〜１５ｅを通り外部へと出射される。
【００３０】
レンズ部材１５における押しボタンスイッチ１０２４のＺ軸方向下方まで延設された部分（Ｙ軸方向右側部分）では、押しボタンスイッチ１０２４におけるボタン部１０２４ａに対応した箇所に、突起部１５ｆが突設されている。突起部１５ｆは、Ｚ軸方向上向きに突設されている。
上述のように、本実施の形態に係る電池パック１では、レンズ部材１５の一部が、パッド部材１４に対してユーザから入力された押圧力を押しボタンスイッチ１０２４へと伝達する伝達部材としての機能も有する。即ち、パッド部材１４をユーザが押圧した場合には、押圧力がレンズ部材１４の一部を伝達し、突起部１５ｆのＺ軸方向上向きの可動により、押しボタンスイッチ１０２４のボタン部１０２４ａが押圧される。
【００３１】
５．第２ケース部材１２へのレンズ部材１５およびパッド部材１４の取り付け
第２ケース部材１２へのレンズ部材１５およびパッド部材１４の取り付けについて、図５を用い説明する。
図５（ａ）に示すように、第２ケース部材１２の内側部分には、Ｘ軸方向手前側の側壁に沿って直方体形状の凹部１２ｂが形成されている。第２ケース部材１２の凹部１２ｂには、その底面に沿うようにレンズ部材１５が挿入される。このとき、図５（ｂ）に示すように、レンズ部材１５のＹ軸方向右側部分には、その裏面側にパッド部材１４が接合されている。
【００３２】
なお、図示を省略しているが、レンズ部材１５を挿入した後において、第２ケース部材１２の内側部分には、回路ユニット１０２を含むコアパック１０が挿入される。このとき、回路ユニット１０２の基板本体１０２１とレンズ部材１５とは、図３および図４に示すような位置関係となる。
６．レンズ部材１５における押圧力の伝達に係る部分の構成
レンズ部材１５における押圧力の伝達に係る部分の構成について、図６を用い説明する。
【００３３】
図６に示すように、押しボタンスイッチ１０２４のボタン部１０２４ａを実際に押圧する突起部１５ｆは、Ｙ軸方向に長い短冊状の可動部１５ｇからＺ軸方向上向きに突設されている。突起部１５ｆの突設箇所は、可動部１５ｇにおける面の中央部分（Ｘ軸方向およびＹ軸方向の中央部分）である。
また、可動部１５ｇにおけるＸ軸方向に対向する２側辺のそれぞれからは、アーム部１５ｉが延設されている。アーム部１５ｉは、各側辺から延出した後、Ｚ軸方向下向きに方向を変えるよう形成されている。
【００３４】
２つのアーム部１５ｉのそれぞれは、各先端において、Ｙ軸方向に延伸形成されたビーム部１５ｊに連続している。２つのビーム部１５ｊのそれぞれは、Ｘ軸方向の幅に比べて、Ｙ軸方向の長さが長い短冊形状をしており、パッド部材１４（図６では、図示を省略）を介して可動部１５ｇの裏面への押圧力によりＺ軸方向に撓む。
各ビーム部１５ｊは、その両側にスリット１５ｈ，１５ｋが開けられることにより、ベース部１５ｌに対してＸ軸方向で区画されている。各ビーム部１５ｊは、上記のようにスリット１５ｈ，１５ｋの形成により、ベース部１５ｌに対して、その長手方向端部が支持され、両端支持された状態となっている。
【００３５】
即ち、レンズ部材１５の伝達部材部分においては、可動部１５ｇの側周が、２つのアーム部１５ｉが連続する部分を除き、ビーム部１５ｊおよびベース部１５ｌとの各間がスリット１５ｈにより区画されており、ビーム部１５ｊが、その両端部分を除き、ベース部１５ｌとの間がスリット１５ｋにより区画されている。
なお、レンズ部材１５は、透光性樹脂材料から構成されており、押圧力を伝達する機能を有する部分を含め、一体形成されている。
【００３６】
７．ユーザがパッド部材１４を押圧した際のレンズ部材１５の可動形態
ユーザがパッド部材１４を押圧した際のレンズ部材１５の可動形態について、図６および図７を用い説明する。
図６に示すように、レンズ部材１５では、その可動部１５ｇが、対向２辺のそれぞれから延設された２つのアーム部１５ｉにより支持されている。そして、２つのアーム部１５ｉは、それぞれが梁状のビーム部１５ｊに接続されており、パッド部材１４を介してユーザからの押圧力を受けた際に、当該押圧力に応じて当該ビーム部１５ｊがＺ軸方向上向きに撓む。即ち、レンズ部材１５では、突起部１５ｆが突設された可動部１５ｇが、２つのビーム部１５ｊの撓みにより、突起部１５ｆの突設方向（Ｚ軸方向上向き）に向けて平行に可動することとなり、円弧状に端辺９５ｌが可動し、可動部９５ｇが回転可動する従来技術の伝達部材９５に対して、優れた操作性を確保できる。
【００３７】
上述のように、図９の従来技術の伝達部材９５では、基端部分Ｐを支点として自由端である端辺９５ｌが円弧を描くように可動部９５ｇが回転可動するため、ユーザが押圧する箇所により操作性が大きく異なる。
これに対して、図７に示すように、本実施の形態に係る電池パック１では、ユーザがＡ１部分を押圧した場合でも、Ａ２部分を押圧した場合でも、可動部１５ｇが２つのアーム部１５ｉを介して２つのビーム部１５ｊに両端支持され、ビーム部１５ｊが突起部の突設方向に可動するので、可動部１５ｇはＸ−Ｙ面方向に平行な姿勢を保った状態で可動する。このため、電池パック１では、ユーザがＡ１部分およびＡ２部分を含む何れの部分を押圧しても、同様のクリック感が実現される。
【００３８】
従って、本実施の形態に係る電池パック１では、押圧する箇所によりクリック感に差異が生ずることが抑制され、優れた操作性を有し高品質である。
［その他の事項］
上記実施の形態では、本発明に係る押しボタンスイッチ機構を、一例として、電池パック１のインジケータ用の構成として適用したが、本発明に係る押しボタンスイッチ機構は、電池パックのインジケータ用以外にも種々の電子機器に対して適用することができる。例えば、安定化電源装置における供給電力の電圧値や電流値を表示させる際に用いる押しボタンスイッチ機構として適用することもできる。また、車両における各種情報のモニタリングに際して用いられる押しボタンスイッチ機構としても適用することができる。
【００３９】
また、上記実施の形態では、複数のＬＥＤ１０２３ａ〜１０２３ｅを用いてインジケータを構成することとしたが、それ以外にも液晶パネルやＥＬパネルなどの表示パネルを用いることもできる。
また、上記実施の形態に係る電池パック１では、１２本の円筒形の素電池１０１ａ〜１０１ｌを備える構成としたが、素電池の数や種類は、これに限定されるものではない。例えば、角形の外観形状を有する電池や金属ラミネート外装を有する電池などを採用することもできる。素電池の数も１本でもよく、２本以上とすることもできる。
【００４０】
また、上記実施の形態では、パッド部材１４を介してレンズ部材１５を押圧する構成としたが、パッド部材１４の介挿は必須の要件ではない。
また、上記実施の形態では、レンズ部材１５の一部に押圧力伝達機能を担わせることとしたが、レンズ部材とは別に押圧力伝達部材を設ける構成としてもよい。ただし、部品点数の削減という観点から、上記実施の形態のようにレンズ部材の一部構成とすることが望ましい。
【００４１】
さらに、上記実施の形態では、第１ケース部材１１と第２ケース部材１２とにおいては、コアパック１０とその他の部品とを隔離するために隔壁が設けられているが、この隔壁の肉厚を厚くすると、第１ケース部材１１と第２ケース部材１２の隔壁が接合されている部分の外表面に樹脂形成の収縮によるヒケが発生し易くなる。この対策として、図２の二点鎖線で囲む拡大図に示すように、隔壁を肉厚が比較的薄い２枚の隔壁要素１２１，１２２で構成するようにすれば（第１ケース部材１１についても同様）、ヒケの発生を抑制することが可能となる。ここで、３枚以上の隔壁要素で隔壁を構成することとしてもよい。
【産業上の利用可能性】
【００４２】
本発明は、押しボタンスイッチ機構を備える電子機器を実現する上で有用である。
【符号の説明】
【００４３】
１．電池パック
１０．コアパック
１１．第１ケース部材
１２．第２ケース部材
１２ａ．窓部
１２ｂ．凹部
１４．パッド部材
１５．レンズ部材
１５ａ〜１５ｅ．レンズ部
１５ｆ．突起部
１５ｇ．可動部
１５ｈ，１５ｋ．スリット
１５ｉ．アーム部
１５ｊ．ビーム部
１５ｌ．ベース部
１０１ａ〜１０１ｌ．素電池
１０２．回路ユニット
１２１，１２２．隔壁要素
１０２１．基板
１０２２．外部コネクタ
１０２３ａ〜１０２３ｅ．ＬＥＤ
１０２４．押しボタンスイッチ
１０２４ａ．ボタン部
【図１】
2012234780.tif 000003
【図２】
2012234780.tif 000004
【図３】
2012234780.tif 000005
【図４】
2012234780.tif 000006
【図５】
2012234780.tif 000007
【図６】
2012234780.tif 000008
【図７】
2012234780.tif 000009
【図８】
2012234780.tif 000010
【図９】
2012234780.tif 000011